(57)【特許請求の範囲】
【請求項１】
エレベーターのおもり枠の内部において鉛直方向に積み重ねられた複数のおもりブロックのうちの最上段のおもりブロックの上面に配置される筐体と、
前記筐体の内部に配置され、前記筐体の外部からの操作により前記筐体の下方向に生ずる磁力の強弱を切り替え自在に設けられ、前記筐体が前記最上段のおもりブロックの上面に配置された状態において前記筐体の下方向に生ずる磁力により前記最上段のおもりブロックに対する吸着力を発生させる磁石と、
を備え、
前記磁石は、円の中心を軸にして回転し、経方向に２極に分かれる円柱型の永久磁石である上部磁石と、
前記上部磁石の下面に接するように配置され、経方向に２極に分かれる円柱型の永久磁石である下部磁石と、
を備え、
前記上部磁石を回転させることにより磁力の強弱を切り替えるエレベーターのおもりブロック運搬治具。
【請求項２】
前記筐体に連結し、前記エレベーターの昇降路の上方に上端が固定された吊りロープに取り付けられる仮吊り用ベルトが連結されるベルト取付部、
を備えた請求項１に記載のエレベーターのおもりブロック運搬治具。
【請求項３】
前記ベルト取付部は、前記仮吊り用ベルトとしてのラウンドスリングが連結される請求項２に記載のエレベーターのおもりブロック運搬治具。
【請求項４】
前記筐体に連結し、前記吊りロープに取り付けられる本吊り用ベルトが連結される繋ぎ部、
を備えた請求項２または請求項３に記載のエレベーターのおもりブロック運搬治具。
【請求項５】
前記筐体に連結し、前記吊りロープに取り付けられる本吊り用ベルトが連結される第２のベルト取付部、
を備えた請求項２または請求項３に記載のエレベーターのおもりブロック運搬治具。
【請求項６】
前記繋ぎ部は、前記本吊り用ベルトとしてのベルトスリングが連結される請求項４に記載のエレベーターのおもりブロック運搬治具。
【請求項７】
前記第２のベルト取付部は、前記本吊り用ベルトとしてのベルトスリングが連結される請求項５に記載のエレベーターのおもりブロック運搬治具。
【請求項８】
前記ベルト取付部に連結し、前記仮吊り用ベルトが連結されるフック体、
を備えた請求項２に記載のエレベーターのおもりブロック運搬治具。
【請求項９】
前記フック体は、開状態と閉状態が切替可能で、本吊り用ベルトが連結可能な請求項８に記載のエレベーターのおもりブロック運搬治具。
【請求項１０】
最上段のおもりブロックの下面と最上段の一つ下のおもりブロックの上面との間に挿入されることにより、前記最上段のおもりブロックの下面を支持する支持材、
を備えた請求項１から請求項９のいずれか一項に記載のエレベーターのおもりブロック運搬治具。
【請求項１１】
エレベーターのおもり枠の内部において鉛直方向に積み重ねられた複数のおもりブロックのうちの最上段のおもりブロックを請求項１に記載のおもりブロック運搬治具により持ち上げることで、前記最上段のおもりブロックの下面と前記最上段のおもりブロックの一つ下のおもりブロックの上面との間に間隙を形成する間隙形成工程と、
前記間隙形成工程の後に、前記間隙に支持材を挿入する挿入工程と、
を備えたエレベーターのおもりブロック運搬方法。
【請求項１２】
前記挿入工程の後に、前記間隙に本吊り用ベルトを挿入し、前記本吊り用ベルトを前記最上段のおもりブロックに取り付けるベルト取付工程と、
前記ベルト取付工程の後に、前記最上段のおもりブロックを揚重し、前記おもり枠から取り外すおもりブロック取り外し工程と、
を備えた請求項１１に記載のエレベーターのおもりブロック運搬方法。
【発明の詳細な説明】
【技術分野】
【０００１】
この発明は、エレベーターのおもりブロック運搬治具およびエレベーターのおもりブロック運搬方法に関する。
【背景技術】
【０００２】
特許文献１は、エレベーターのおもりブロック運搬治具を開示する。当該おもりブロック運搬治具は、エレベーターのおもりブロックを複数のアームにより持ち上げる。
【先行技術文献】
【特許文献】
【０００３】
【特許文献１】日本特開２０１９−００６５８９号公報
【発明の概要】
【発明が解決しようとする課題】
【０００４】
しかしながら、特許文献１に記載のおもりブロック運搬治具は、複数のアームによりおもりブロックを保持する。このため、おもりブロック運搬治具が大型化する。【０００５】
この発明は、上述の課題を解決するためになされた。この発明の目的は、小型化することができるエレベーターのおもりブロック運搬治具およびエレベーターのおもりブロック運搬方法を提供することである。
【課題を解決するための手段】
【０００６】
この発明に係るエレベーターのおもりブロック運搬治具は、エレベーターのおもり枠の内部において鉛直方向に積み重ねられた複数のおもりブロックのうちの最上段のおもりブロックの上面に配置される筐体と、前記筐体の内部に配置され、前記筐体の外部からの操作により前記筐体の下方向に生ずる磁力の強弱を切り替え自在に設けられ、前記筐体が前記最上段のおもりブロックの上面に配置された状態において前記筐体の下方向に生ずる磁力により前記最上段のおもりブロックに対する吸着力を発生させる磁石と、を備え、前記磁石は、円の中心を軸にして回転し、径方向に２極に分かれる円柱型の永久磁石である上部磁石と、前記上部磁石の下面に接するように配置され、径方向に２極に分かれる円柱型の永久磁石である下部磁石と、を備え、前記上部磁石を回転させることにより磁力の強弱を切り替える。
【０００７】
この発明に係るレベーターのおもりブロック運搬方法は、エレベーターのおもり枠の内部において鉛直方向に積み重ねられた複数のおもりブロックのうちの最上段のおもりブロックを前記おもりブロック運搬治具により持ち上げることで、前記最上段のおもりブロックの下面と前記最上段のおもりブロックの一つ下のおもりブロックの上面との間に間隙を形成する間隙形成工程と、前記間隙形成工程の後に、前記間隙に支持材を挿入する挿入工程と、を備えた。
【発明の効果】
【０００８】
この発明によれば、最上段のおもりブロックは、磁力により保持される。このため、おもりブロック運搬治具を小型化することができる。
【図面の簡単な説明】
【０００９】
【図１】実施の形態１におけるエレベーターのおもりブロック運搬治具が適用されるエレベーターの構成図である。
【図２】実施の形態１におけるエレベーターのおもりブロック運搬治具の正面図である。
【図３】実施の形態１におけるエレベーターのおもりブロック運搬治具の平面図である。
【図４】実施の形態１におけるエレベーターのおもりブロック運搬治具の第１のベルト取付部に仮吊り用ベルトを取り付ける方法を説明するための図である。
【図５】実施の形態１におけるエレベーターのおもりブロック運搬治具の繋ぎ部に本吊り用ベルトを取り付ける方法を説明するための図である。
【図６】実施の形態１におけるエレベーターのおもりブロック運搬治具の繋ぎ部に本吊り用ベルトを取り付ける方法を説明するための図である。
【図７】実施の形態１におけるエレベーターのおもりブロック運搬治具の内部を説明する図である。
【図８】実施の形態１におけるエレベーターのおもりブロック運搬治具によるおもりブロックの仮吊り作業を説明するための図である。
【図９】実施の形態１におけるエレベーターのおもりブロック運搬治具によるおもりブロックの本吊り作業を説明するための図である
【図１０】実施の形態２におけるエレベーターのおもりブロック運搬治具の平面図である。
【図１１】実施の形態２におけるエレベーターのおもりブロック運搬治具によるおもりブロックの本吊り作業を示す図である。
【図１２】実施の形態３におけるエレベーターのおもりブロック運搬治具の平面図である。
【図１３】実施の形態３におけるエレベーターのおもりブロック運搬治具によるおもりブロックの本吊り作業を示す図である。
【図１４】実施の形態４におけるエレベーターのおもりブロック運搬治具の平面図である。
【図１５】実施の形態４におけるエレベーターのおもりブロック運搬治具によるおもりブロックの本吊り作業を示す図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略する。
【００１１】
実施の形態１．
図１は実施の形態１におけるエレベーターのおもりブロック運搬治具が適用されるエレベーターの構成図である。
【００１２】
図１のエレベーターにおいて、昇降路１は、建築物の各階を貫く。複数の乗場２は、建築物の各階に設けられる。複数の乗場２の各々は、昇降路１に対向する。複数の乗場２の各々は、乗場扉３を備える。
【００１３】
巻上機４は、昇降路１の上部に設けられる。巻上機４は、綱車５を備える。そらせ車６は、昇降路１の上部に設けられる。
【００１４】
一対のかごガイドレール７は、昇降路１に設けられる。一対のかごガイドレール７の各々は、鉛直方向に延びる。一対のかごガイドレール７は、互いに平行である。一対のかごガイドレール７は、互いに対向する。
【００１５】
一対のおもりガイドレール８は、昇降路１に設けられる。一対のおもりガイドレール８の各々は、鉛直方向に延びる。一対のおもりガイドレール８は、互いに平行である。一対のおもりガイドレール８は、互いに対向する。
【００１６】
主ロープ９は、綱車５とそらせ車６とに巻き掛けられる。
【００１７】
かご１０は、主ロープ９の一側に支持される。かご１０は、昇降路１の内部において一対のかごガイドレール７に沿って昇降し得るように設けられる。かご１０は、かご扉１１を備える。
【００１８】
釣合いおもり１２は、主ロープ９の他側に支持される。釣合いおもり１２は、昇降路１の内部において一対のおもりガイドレール８に沿って昇降し得るように設けられる。釣合いおもり１２は、おもり枠１３と複数のおもりブロック１４とを備える。
【００１９】
複数のおもりブロック１４のそれぞれは、金属製である。複数のおもりブロックのそれぞれは、強い磁性を有する。
【００２０】
かごバッファー１５は、昇降路１の底部に設けられる。かごバッファー１５は、かご１０の下方に設けられる。
【００２１】
おもりバッファー１６は、昇降路１の底部に設けられる。おもりバッファー１６は、釣合いおもり１２の下方に設けられる。
【００２２】
次に、図２および図３を用いて、おもりブロック運搬治具の構成を説明する。
図２は実施の形態１におけるエレベーターのおもりブロック運搬治具の正面図である。図３は実施の形態１におけるエレベーターのおもりブロック運搬治具の平面図である。
【００２３】
図２および図３に示されるように、おもりブロック運搬治具１７は、筐体１８と繋ぎ部１９と持ち手２０と一対の第１のベルト取付部２１とを備える。
【００２４】
筐体１８は、内部に空間を有する直方体形状の部材である。
【００２５】
繋ぎ部１９は、筐体１８の側面に設けられる。例えば、繋ぎ部１９は、両端に環状部を備えたワイヤーである。例えば、繋ぎ部１９は、一端の環状部を介して筐体１８にボルトにより取り付けられる。
【００２６】
持ち手２０は、Ｌ字形状の部材である。持ち手２０は、軸部２０ａとハンドル部２０ｂを有する。
【００２７】
軸部２０ａは、棒形状の部材である。軸部２０ａは、筐体１８の上面に対して直交する方向に、筐体１８の上面に設けられる。軸部２０ａの一端は、筐体１８の上面を貫通するように設けられる。
【００２８】
ハンドル部２０ｂは、棒形状の部材である。ハンドル部２０ｂは、軸部２０ａに直交する方向から軸部２０ａの他端に接続される。言い換えると、ハンドル部２０ｂは、筐体１８の上面に平行になるように、軸部２０ａの他端に接続される。
【００２９】
一対の第１のベルト取付部２１のそれぞれは、平板状の部材である。筐体１８の側面のうち、繋ぎ部１９が設けられていない側面に設けられる。例えば、一対の第１のベルト取付部２１の一方は、筐体１８の右側面に設けられる。一対の第１のベルト取付部２１の他方は、筐体１８の左側面に設けられる。例えば、一対の第１のベルト取付部２１のそれぞれは、筐体１８の右側面と筐体１８の左側面とに筐体１８を挟んで対称な位置に設けられる。
【００３０】
図３に示されるように、一対の第１のベルト取付部２１のそれぞれは、開口部を有する。例えば、一対の第１のベルト取付部２１のそれぞれは、開口部として複数の貫通穴を有する。例えば、一対の第１のベルト取付部２１のそれぞれは、２つの切り欠き開口部を有するＥ字の形状である。一対の第１のベルト取付部２１のそれぞれにおいて、２つの切り欠き開口部は、筐体１８の側面に接する。
【００３１】
次に、図４を用いて、おもりブロック運搬治具１７への仮吊り用ベルト２２の取り付け方法を説明する。
図４は実施の形態１におけるエレベーターのおもりブロック運搬治具の第１のベルト取付部に仮吊り用ベルトを取り付ける方法を説明するための図である。
【００３２】
例えば、仮吊り用ベルト２２は、環状の紐状体である。例えば、仮吊り用ベルト２２は、環状のラウンドスリングである。
【００３３】
仮吊り用ベルト２２は、第１のベルト取付部２１の２つの開口部を貫通した状態で第１のベルト取付部２１に取り付けられる。具体的には、仮吊り用ベルト２２は、第１のベルト取付部２１の上方から１つ目の貫通開口を貫通し、第１のベルト取付部２１の下方から２つ目の貫通開口を貫通する。この工程が、筐体１８の右側と左側のそれぞれの第１のベルト取付部２１に対して行われることで、仮吊り用ベルト２２は、筐体１８に取り付けられる。
【００３４】
例えば、第１のベルト取付部２１が２つの切り欠き開口を有するＥ字の形状である場合、仮吊り用ベルト２２は、第１のベルト取付部２１に以下のように取り付けられてもよい。
【００３５】
第１のベルト取付部２１が筐体１８に取り付けられる前に、仮吊り用ベルト２２は、第１のベルト取付部２１の上方から１つ目の開口部に通される。次に、仮吊り用ベルト２２は、第１のベルト取付部２１の下方から２つ目の開口部に通される。その後、第１のベルト取付部２１は、ボルトなどの金具により筐体１８に取り付けられる。この工程が、筐体１８の右側と左側のそれぞれの第１のベルト取付部２１に対して行われることで、仮吊り用ベルト２２は、筐体１８に取り付けられる。
【００３６】
次に、図５および図６を用いて、おもりブロック運搬治具１７への本吊り用ベルト２３の取り付け方法を説明する。
図５と図６とは実施の形態１におけるエレベーターのおもりブロック運搬治具の繋ぎ部に本吊り用ベルトを取り付ける方法を説明するための図である。
【００３７】
繋ぎ部１９には、本吊り用ベルト２３が取り付けられる。例えば、本吊り用ベルト２３は、環状部を有する紐状体である。例えば、本吊り用ベルト２３は、両端部に環状部を有するベルトスリングである。
【００３８】
例えば、図５に示されるように、本吊り用ベルト２３の一端の環状部と繋ぎ部１９の環状部とは、鎖状に連結するように取り付けられる。例えば、図６に示されるように、本吊り用ベルト２３は、繋ぎ部１９の環状部の中を貫通するように取り付けられる。
【００３９】
次に、図７を用いて、筐体１８の内部を説明する。
図７は実施の形態１におけるエレベーターのおもりブロック運搬治具の筐体の内部を説明するための図である。
【００４０】
図７に示されるように、筐体１８の内部は、磁石２４が設けられる。例えば、磁石２４は、上部磁石２４ａと下部磁石２４ｂとを備える。例えば、上部磁石２４ａと下部磁石２４ｂとは、径方向に２極に分かれる円柱型の永久磁石である。
【００４１】
上部磁石２４ａは、筐体１８の内部の上部に配置される。上部磁石２４ａは、円の中心を軸にして回転し得る。
【００４２】
下部磁石２４ｂは、筐体１８の内部の下部に配置される。下部磁石２４ｂの上面は、上部磁石２４ａの下面に接するように配置される。
【００４３】
図示されないが、上部磁石２４ａの中心には、軸部２０ａの一端が接続される。上部磁石２４ａの中心軸と、軸部２０ａは、同軸である。このため、軸部２０ａが回転すると、上部磁石２４ａも同時に回転する。
【００４４】
例えば、上部磁石２４ａは、右側がＳ極、左側がＮ極になるように配置される。下部磁石２４ｂは、右側がＮ極、左側がＳ極になるように配置される。その結果、上部磁石２４ａのＳ極側は、下部磁石２４ｂのＮ極側と接する。上部磁石２４ａのＮ極側は、下部磁石２４ｂのＳ極側と接する。この場合、上部磁石２４ａのＳ極側と下部磁石２４ｂのＮ極側とは、それぞれの磁力により引き合う。上部磁石２４ａのＮ極側と下部磁石２４ｂのＳ極側は、それぞれの磁力により引き合う。
【００４５】
上部磁石２４ａが１８０度回転すると、上部磁石２４ａは、右側がＮ極、左側がＳ極になる。その結果、上部磁石２４ａのＮ極側は、下部磁石２４ｂのＮ極側と接する。上部磁石２４ａのＳ極側は、下部磁石２４ｂのＳ極側と接する。この場合、上部磁石２４ａと下部磁石２４ｂとは、左右において同極となる。その結果、磁石２４は、上方と下方にそれぞれ磁力を発生させる。
【００４６】
以下の説明では、磁石２４が下方に磁力を発生させている状態をＯＮ状態、磁石２４が下方に磁力を発生させていない状態をＯＦＦ状態と称する。
【００４７】
次に、図８および図９を用いて、おもりブロック１４の運搬作業を説明する。
図８は実施の形態１におけるエレベーターのおもりブロック運搬治具によるおもりブロックの仮吊り作業を説明するための図である。図９は実施の形態１におけるエレベーターのおもりブロック運搬治具によるおもりブロックの本吊り作業を説明するための図である。
【００４８】
仮吊り作業は、最上段のおもりブロック１４と最上段の一つ下のおもりブロック１４との間に形成された間隙に支持材２６を挿入する作業である。
【００４９】
図８に示されるように、複数のおもりブロック１４は、おもり枠１３に形成された図示されない一対の溝にそれぞれ案内される。複数のおもりブロック１４は、おもり枠１３の間に鉛直方向に積み重ねられる。吊りロープ２５の上端は、昇降路１の上方に固定された電動または手動の楊重装置に接続される。吊りロープ２５の下端は、複数のおもりブロック１４の上部に垂れ下がる。吊りロープ２５の下部には、フック部が設けられる。例えば、吊りロープ２５は、チェーンまたはワイヤー等である。
【００５０】
例えば、支持材２６は、矩形の部材である。例えば、支持材２６は、垂木などの木片または金属片である。支持材２６は、落下防止用ワイヤー２７を備える。
【００５１】
落下防止用ワイヤー２７は、両端にフック部を有する紐状体である。落下防止用ワイヤー２７の一端のフック部は、支持材２６に取り付けられる。
【００５２】
仮吊り作業においては、おもりブロック運搬治具１７は、最上段のおもりブロック１４の中心部よりも左右のいずれかの側に寄って取り付けられる。
【００５３】
例えば、おもりブロック運搬治具１７は、以下に説明する方法で最上段のおもりブロック１４に取り付けられる。
【００５４】
作業開始時、おもりブロック運搬治具１７の磁石２４は、ＯＦＦ状態である。おもりブロック運搬治具１７において、筐体１８は、最上段のおもりブロック１４の上面に配置される。最上段のおもりブロック１４において、筐体１８は、おもりブロック１４の中心部よりも左右のいずれかの側に寄って配置される。支持材２６の落下防止用ワイヤー２７の他端のフック部は、例えば、昇降路１の内部のエレベーター構造体に取り付けられる。
【００５５】
次に、おもりブロック運搬治具１７の磁石２４は、ＯＮ状態にされる。その結果、おもりブロック運搬治具１７は、最上段のおもりブロック１４を吸着する。その後、仮吊り用ベルト２２は、吊りロープ２５のフック部に取り付けられる。
【００５６】
次に、最上段のおもりブロック１４は、仮吊り用ベルト２２および吊りロープ２５を介して、楊重装置により僅かに吊り上げられる。この際、最上段のおもりブロック１４は、一端の側がより上方となるように斜めに吊り上げられる。
【００５７】
その後、最上段のおもりブロック１４と最上段から一つ下のおもりブロック１４との間に形成された間隙に支持材２６が挿入される。その後、楊重装置は、最上段のおもりブロック１４を吊り上げる作業を終了し、最上段のおもりブロック１４は、僅かに吊り上げられた位置から下ろされる。最上段のおもりブロック１４の下面は、支持材２６により支持される。その結果、間隙は、支持材２６によって維持される。その後、仮吊り用ベルト２２は、吊りロープ２５のフック部から取り外される。
【００５８】
おもりブロック１４の運搬作業においては、仮吊り作業の後に本吊り作業が実施される。本吊り作業は、最上段のおもりブロック１４をおもり枠１３から取り外すため作業である。
【００５９】
図９に示されるように、本吊り用ベルト２３は、前述した方法によって繋ぎ部１９の環状部に取り付けられる。その後、本吊り用ベルト２３の一端は、最上段のおもりブロック１４と最上段から一つ下のおもりブロック１４との間隙に通される。その後、当該間隙に通された本吊り用ベルト２３の一端は、本吊り用ベルト２３の他端の環状部の中を貫通するように通される。このとき、本吊り用ベルト２３は、最上段のおもりブロック１４の長手方向に直交する方向の外周に沿って巻き回された状態となっている。その後、本吊り用ベルト２３の一端の環状部は、本吊り用ベルト２３の他端の環状部を貫通された状態で吊りロープ２５のフック部に取り付けられる。
【００６０】
その後、吊りロープ２５により最上段のおもりブロック１４が吊り上げられる。この際、最上段のおもりブロック１４は、一端の側がより上方となるように斜めに吊り上げられる。その後、最上段のおもりブロック１４がおもり枠１３から取り外される。
【００６１】
これらの手順が、複数のおもりブロック１４に対して順々に行われる。その結果、全てのおもりブロック１４がおもり枠１３から取り外される。
【００６２】
以上で説明した実施の形態１によれば、おもりブロック運搬治具１７は、磁石２４が発生させる吸着力によりおもりブロック１４を保持する。このため、おもりブロック運搬治具１７を小型化することができる。
【００６３】
この際、磁石２４の磁力の強弱は、外部からの操作により容易に切り替えられる。このため、おもりブロック運搬治具１７によるおもりブロック１４の吸着および吸着の解除を容易に行うことができる。
【００６４】
また、磁石２４は、径方向に２極に分かれる２つの円柱型の永久磁石が上下に積み重ねられる。このため、磁石２４の磁力を容易に制御することができる。
【００６５】
また、おもりブロック運搬治具１７は、吊りロープ２５に取り付けられる。このため、おもりブロック１４は、容易に上方に持ち上げることができる。
【００６６】
また、おもりブロック運搬治具１７は、仮吊り用ベルト２２としてのラウンドスリングを介して吊りロープ２５に取り付けられる。このため、汎用品を用いた簡易な構成でおもりブロック１４を持ち上げることができる。
【００６７】
なお、おもりブロック運搬治具１７は、仮吊り用ベルト２２としてのベルトスリングを介して吊りロープ２５に取り付けられてもよい。この場合でも、汎用品を用いた簡易な構成でおもりブロック１４を持ち上げることができる。
【００６８】
また、仮吊り用ベルト２２は、環状のベルトスリングでもよい。仮吊り用ベルト２２は、環状部を有する紐状体でもよい。仮吊り用ベルト２２は、両端部に環状部を有するラウンドスリングでもよい。仮吊り用ベルト２２は、両端部に環状部を有するベルトスリングでもよい。
【００６９】
また、本吊り作業において、本吊り用ベルト２３は、最上段のおもりブロック１４の長手方向の外周に沿って強固に巻き回された状態で取り付けられる。このため、本吊り作業において、おもりブロック１４が本吊り用ベルト２３から抜け落ちることを抑制できる。
【００７０】
また、本吊り用ベルト２３は、ベルトスリングまたはラウンドスリングである。このため、汎用品を用いた簡易な構成でおもりブロック１４を持ち上げることができる。
【００７１】
また、本吊り用ベルト２３は、両端部に環状部を有するラウンドスリングでもよい。本吊り用ベルト２３は、環状の紐状体でもよい。本吊り用ベルト２３は、環状のラウンドスリングでもよい。本吊り用ベルト２３は、環状のベルトスリングでもよい。
【００７２】
また、おもりブロック運搬治具１７は、繋ぎ部１９を備える。繋ぎ部１９によりおもりブロック１４に吸着された筐体１８と、おもりブロック１４に巻き回された本吊り用ベルトを繋ぐことにより、持ち上げたおもりブロック１４が本吊り用ベルトから抜け落ちることを抑制できる。
【００７３】
なお、おもりブロック１４は、磁性を有する金属を一部に有するのみでもよい。この場合、強い磁性体を有する金属部分は、おもりブロック１４の上面にあればよい。
【００７４】
また、磁石２４は、径方向に２極に分かれる１つの円柱型の永久磁石でもよい。この場合、磁石２４は、中心軸が筐体１８の上面に平行な方向となるように筐体１８の内部に設けられればよい。磁石２４の中心には、筐体１８の側面を貫通した軸部２０ａの一方が接続される。この場合、軸部２０ａが回転すると、接続されている磁石２４も同時に回転する。磁石２４が回転することにより、筐体１８の周囲の磁力の強さが変化する。
【００７５】
また、磁石２４は、上方と下方にそれぞれ磁力を発生させる電磁石でもよい。電磁石のコイルに通電されると、上方と下方に磁力が発生する。電磁石のコイルへの通電が止められると、磁力が失われる。
【００７６】
また、おもりブロック運搬治具１７の磁石２４は、本吊り用ベルト２３が吊りロープ２５のフック部に取り付けられた後にＯＮ状態にされてもよい。
【００７７】
また、おもりブロック運搬治具１７に、仮吊り用ベルト２２および吊りロープ２５が取り付けられなくてもよい。この場合、おもりブロック１４がおもりブロック運搬治具１７により持ち上げられた状態でおもりブロック１４に吊りロープ２５を巻き付けることで、おもりブロック１４を運搬することができる。
【００７８】
また、巻上機４等が昇降路１の直上の機械室に設けられたエレベーターに実施の形態１のおもりブロック運搬治具１７を適用してもよい。
【００７９】
実施の形態２．
図１０は実施の形態２におけるエレベーターのおもりブロック運搬治具の平面図である。なお、実施の形態１の部分と同一又は相当部分には同一符号が付される。当該部分の説明は省略される。
【００８０】
実施の形態２において、おもりブロック運搬治具１７ａは、繋ぎ部１９を備えない代わりに第２のベルト取付部２８を備える。
【００８１】
図１０に示されるように、第２のベルト取付部２８は、平板状の部材である。第２のベルト取付部２８は、開口部を有する。例えば、第２のベルト取付部２８は、切り欠き開口部を有するＣ字の形状である。第２のベルト取付部２８は、筐体１８の側面のうち、一対の第１のベルト取付部２１が設けられていない側面に設けられる。第２のベルト取付部２８において、切り欠き開口部は、筐体１８の側面に接する。
【００８２】
本吊り用ベルト２３は、第２のベルト取付部２８の開口部に挿通される。
【００８３】
次に、図１１を用いて、実施の形態２におけるおもりブロック１４の運搬作業を説明する。
図１１は実施の形態２におけるエレベーターのおもりブロック運搬治具によるおもりブロックの本吊り作業を示す図である。
【００８４】
図１１に示されるように、本吊り作業において、本吊り用ベルト２３は、第２のベルト取付部２８の開口部に挿通される。その結果、筐体１８と本吊り用ベルト２３とは、第２のベルト取付部２８を介して連結される。本吊り用ベルト２３は、筐体１８に連結された状態で最上段のおもりブロック１４の長手方向に直交する方向の外周に沿って巻き回される。
【００８５】
以上で説明した実施の形態２によれば、おもりブロック運搬治具１７ａは、第２のベルト取付部２８を介して本吊り用ベルト２３と連結される。このため、本吊り作業において、おもりブロック１４が本吊り用ベルト２３から抜け落ちることを抑制できる。
【００８６】
実施の形態３．
図１２は実施の形態３におけるエレベーターのおもりブロック運搬治具の平面図である。なお、実施の形態１の部分と同一又は相当部分には同一符号が付される。当該部分の説明は省略される。
【００８７】
実施の形態３において、エレベーターのおもりブロック運搬治具１７ｂは、繋ぎ部１９を備えない。
【００８８】
次に、図１３を用いて、実施の形態３におけるおもりブロック１４の運搬作業を説明する。
図１３は実施の形態３におけるエレベーターのおもりブロック運搬治具によるおもりブロックの本吊り作業を示す図である。
【００８９】
図１３に示されるように、仮吊り作業の際、仮吊り用ベルト２２は、筐体１８の右側の第１のベルト取付部２１と筐体１８の左側の第１のベルト取付部２１のそれぞれに取り付けられる。その結果、仮吊り用ベルト２２と筐体１８とは、一つの環状体となる。仮吊り作業の後、仮吊り用ベルト２２は、吊りロープ２５のフック部から取り外される。
【００９０】
本吊り作業において、本吊り用ベルト２３は、筐体１８に連結された状態で最上段のおもりブロック１４の長手方向に直交する方向の外周に沿って巻き回される。その後、本吊り用ベルト２３は、仮吊り用ベルト２２と筐体１８とがなす環状体に挿通される。その結果、筐体１８と本吊り用ベルト２３とは連結される。
【００９１】
以上で説明した実施の形態３によれば、おもりブロック運搬治具１７ｂは、仮吊り用ベルト２２を介して本吊り用ベルト２３と連結される。このため、本吊り作業において、おもりブロック１４が本吊り用ベルト２３から抜け落ちることを抑制できる。
【００９２】
実施の形態４．
図１４は実施の形態４におけるエレベーターのおもりブロック運搬治具の平面図である。なお、実施の形態１と同一又は相当部分には同一符号が付される。当該部分の説明は省略される。
【００９３】
実施の形態４において、おもりブロック運搬治具１７ｃは、繋ぎ部１９を備えず、一対のフック体２９を備える。例えば、一対のフック体２９の各々は、開状態と閉状態を切り替え可能な環状体である。例えば、一対のフック体２９の各々は、ステンレス等の金属製のカラビナである。
【００９４】
図１４に示されるように、一対のフック体２９の各々は、一対の第１のベルト取付部２１の各々に取り付けられる。例えば、一対のフック体２９の一方は、一方の第１のベルト取付部２１の開口部に挿入されて取り付けられる。例えば、一対のフック体２９の一方は、一方の第１のベルト取付部２１の２つの開口部にそれぞれ挿入されて取り付けられる。例えば、一対のフック体２９の他方は、他方の第１のベルト取付部２１の開口部を貫通するように挿入されて取り付けられる。例えば、一対のフック体２９の他方は、他方の第１のベルト取付部２１の２つの開口部を貫通するようにそれぞれ挿入されて取り付けられる。
【００９５】
本吊り用ベルト２３の一端の環状部には、一対のフック体２９の一方が取り付けられる。本吊り用ベルト２３の他端の環状部には、一対のフック体２９の他方が取り付けられる。実施の形態４の仮吊り作業においては、仮吊り用ベルト２２の代わりに本吊り用ベルト２３を用いる。仮吊り作業の後、本吊り用ベルト２３は、吊りロープ２５のフック部から取り外される。仮吊り作業の後、本吊り用ベルト２３は、一対のフック体２９の各々から取り外される。
【００９６】
次に、図１５を用いて、実施の形態４におけるおもりブロック１４の運搬作業を説明する。
図１５は実施の形態４におけるエレベーターのおもりブロック運搬治具によるおもりブロックの本吊り作業を示す図である。
【００９７】
図１５に示されるように、本吊り作業において、本吊り用ベルト２３は、最上段のおもりブロック１４に巻き回される。本吊り用ベルト２３は、おもりブロック運搬治具１７ｃが取り付けられている位置よりも、おもりブロック１４の長手側の中心に近い位置に巻き回される。言い換えると、おもりブロック運搬治具１７ｃは、本吊り用ベルト２３が巻き回された位置よりも、おもりブロック１４の長手側の中心から離れた位置に取り付けられている。
【００９８】
以上で説明した実施の形態４によれば、本吊り用ベルト２３は、一対のフック体２９を介して第１のベルト取付部２１に取り付けられる。このため、仮吊り用ベルト２２を使用せずに仮吊り作業を行うことができる。
【００９９】
また、おもりブロック運搬治具１７ｃは、本吊り用ベルト２３が巻き回された位置よりもおもりブロック１４の長手側の中心から離れた位置に取り付けられる。このため、本吊り作業において、おもりブロック１４が本吊り用ベルト２３から抜け落ちることを抑制できる。
【産業上の利用可能性】
【０１００】
以上のように、この発明に係るエレベーターのおもりブロック運搬治具は、エレベーターに利用できる。
【符号の説明】
【０１０１】
１  昇降路、  ２  乗場、  ３  乗場扉、  ４  巻上機、  ５  綱車、  ６  そらせ車、  ７  かごガイドレール、  ８  おもりガイドレール、  ９  主ロープ、  １０  かご、  １１  かご扉、  １２  釣合いおもり、  １３  おもり枠、  １４  おもりブロック、  １５  かごバッファー、  １６  おもりバッファー、  １７  おもりブロック運搬治具、  １７ａ  おもりブロック運搬治具、  １７ｂ  おもりブロック運搬治具、  １７ｃ  おもりブロック運搬治具、  １８  筐体、  １９  繋ぎ部、  ２０  持ち手、  ２０ａ  軸部、  ２０ｂ  ハンドル部、  ２１  第１のベルト取付部、  ２２  仮吊り用ベルト、  ２３  本吊り用ベルト、  ２４  磁石、  ２４ａ  上部磁石、  ２４ｂ  下部磁石、  ２５  吊りロープ、  ２６  支持材、  ２７  落下防止用ワイヤー、  ２８  第２のベルト取付部、  ２９  フック体
【要約】
小型化することができるエレベーターのおもりブロック運搬治具を提供する。この発明に係るエレベーターのおもりブロック運搬治具は、エレベーターのおもりブロック運搬治具は、エレベーターのおもり枠の内部において鉛直方向に積み重ねられた複数のおもりブロックのうちの最上段のおもりブロックの上面に配置される筐体と、前記筐体の内部に配置され、前記筐体の外部からの操作により前記筐体の下方向に生ずる磁力の強弱を切り替え自在に設けられ、前記筐体が前記最上段のおもりブロックの上面に配置された状態において前記筐体の下方向に生ずる磁力により前記最上段のおもりブロックに対する吸着力を発生させる磁石と、を備えた。【図１】
0006947315.tif 000002
【図２】
0006947315.tif 000003
【図３】
0006947315.tif 000004
【図４】
0006947315.tif 000005
【図５】
0006947315.tif 000006
【図６】
0006947315.tif 000007
【図７】
0006947315.tif 000008
【図８】
0006947315.tif 000009
【図９】
0006947315.tif 000010
【図１０】
0006947315.tif 000011
【図１１】
0006947315.tif 000012
【図１２】
0006947315.tif 000013
【図１３】
0006947315.tif 000014
【図１４】
0006947315.tif 000015
【図１５】
0006947315.tif 000016